(57)【要約】【課題】  カートリッジの装置内での位置決め構造や保持構造をできるだけ維持したまま、カートリッジの取り出し性を向上させる。【解決手段】  本発明は、カートリッジが取り付けられるカートリッジ取付部と、このカートリッジ取付部を覆う蓋体とを有するカートリッジ利用装置に関する。そして、カートリッジ取付部にカートリッジが取り付けられた状態で蓋体が閉鎖して、カートリッジを支持・保持し得る姿勢となり、蓋体の開放時に、カートリッジを支持・保持してカートリッジ取付部からカートリッジを取り外すカートリッジ支持・保持機構を、蓋体が有することを特徴とする。【選択図】      図７
2010280102.tif 000002
【特許請求の範囲】
【請求項１】
カートリッジが取り付けられるカートリッジ取付部と、このカートリッジ取付部を覆う蓋体とを有するカートリッジ利用装置において、
上記カートリッジ取付部に上記カートリッジが取り付けられた状態で、上記蓋体が閉鎖して、上記カートリッジを支持・保持し得る姿勢となり、上記蓋体の開放時に、上記カートリッジを支持・保持して上記カートリッジ取付部から上記カートリッジを取り外すカートリッジ支持・保持機構を、上記蓋体が有することを特徴とするカートリッジ利用装置。
【請求項２】
上記カートリッジ支持・保持機構は、上記カートリッジが有する突片若しくは小孔と係合するフックを複数有し、当該フックが上記突片若しくは小孔と係合することで上記カートリッジを支持・保持することを特徴とする請求項１に記載のカートリッジ利用装置。
【請求項３】
上記カートリッジを押圧し、上記カートリッジ取付部内におけるカートリッジの上記蓋体に略直交する方向の位置を規制する押圧機構を、上記蓋体がさらに有することを特徴とする請求項１又は２に記載のカートリッジ利用装置。
【請求項４】
上記カートリッジ取付部は、上記カートリッジの取出し時に上記カートリッジと摺接する面にころ部材を有することを特徴とする請求項１〜３のいずれかに記載のカートリッジ利用装置。
【請求項５】
上記カートリッジ取付部は、上記蓋体の開放時に、上記カートリッジを取り出し方向に押圧して取り出しを容易にする取出し補助機構を有することを特徴とする請求項１〜４のいずれかに記載のカートリッジ利用装置。
【請求項６】
カートリッジが取り付けられるカートリッジ取付部と、このカートリッジ取付部を覆う蓋体とを有するカートリッジ利用装置において、
上記カートリッジ取付部は、上記蓋体の開放時に、上記カートリッジを押圧して上記カートリッジを取り出し方向に所定量だけ移動させる取出し補助機構を有することを特徴とするカートリッジ利用装置。
【発明の詳細な説明】
【技術分野】
【０００１】
本発明はカートリッジ利用装置に関し、特に、リボンや流体などを収容している、カートリッジやカセットと呼ばれている収容媒体（以下、カートリッジと呼ぶ）を、装置本体に対して装着して利用する装置に関するものである。
【背景技術】
【０００２】
テープ印刷装置は、リボン状のインクリボンや、印刷対象であるリボン状のテープを収容したカートリッジが着脱自在に装着され、このカートリッジを利用して印刷を実行するもの（カートリッジ利用装置）である。テープ印刷装置は、インクリボンを用いて無地のテープに所望の文字を印刷すると共に、これを切断してラベルを作成するものである。消耗品であるテープ及びインクリボンは、それぞれリールに巻回されてカートリッジに収容され、この状態でテープ印刷装置本体に装着される。テープ印刷装置本体には、特許文献１に記載のように、カートリッジが上側から着脱自在に装着されるポケットが形成されており、ポケットに装着されたカートリッジに臨んで、テープ及びインクリボンを走行させる各種の駆動軸や、テープに印字を行う印字ヘッドが設けられている。
【０００３】
カートリッジは、テープの色、インクの色、テープの幅などが異なる種々のものが収められるが、カートリッジは、いずれもポケットの底面に着座するように装着されると共に、その装着状態を安定するように、カートリッジに底面側に向かう力を付与するフックが設けられている。ポケットの両側部には指を挿入するためのカートリッジ取出し溝が形成されており、利用者は、この溝を利用して指をカートリッジに引っ掛けてカートリッジを取り出す。
【０００４】
また、カートリッジを使用する装置として、オーディオカセットテープに対する記録、再生を行う、カートリッジ利用装置としてのオーディオカセットテープレコーダがある。このようなレコーダの中には、特許文献２に記載のように、蓋体に、その両側及び基端側からオーディオカセットテープを浅く収容して位置決めする構造が設けられている。そして、オーディオカセットテープを収容した蓋体を閉じることにより、オーディオカセットテープがレコーダ本体のポケットに装着され、蓋体を開けることにより、オーディオカセットテープを蓋体と共にポケットから離脱させるようになされている。
【先行技術文献】
【特許文献】
【０００５】
【特許文献１】特開平９−２７７６７９号公報
【特許文献２】特開平２−１８７４６号公報
【発明の開示】
【発明が解決しようとする課題】
【０００６】
特許文献１に記載のテープ印刷装置において、カートリッジを収容するポケットの周囲には、テープ及びインクリボンを走行させる各種の駆動軸や、テープに印字を行う印字ヘッドを設けなければならず、しかも、テープ印刷装置は安価、小型が望まれている装置であるため、ポケットの周囲に無駄な空間は押さえなければならず、また、ポケットの両側部に設ける指を挿入するためのカートリッジ取出し溝は浅く、小さなものとなる。このような状況で、フックによって下方への力が付与されているカートリッジを、指で抓んでポケットから引き出す操作は容易でなく、使い勝手が悪いものであった。
【０００７】
一方、特許文献２に記載のようなオーディオカセットテープレコーダでは、オーディオカセットテープが蓋体と連動するので、オーディオカセットテープの装着及び離脱は容易である。オーディオカセットテープは、薄型で概ね直方体形状であるので、蓋体にカセットテープを収容する構造を設けることが容易である。
【０００８】
しかしながら、テープ印刷装置用のカートリッジは、オーディオカセットテープよりかなり厚く、しかも、丸みを帯びている部分を有するなど、蓋体に収容構造を設け難いものである。また、蓋体に収容構造を設けてテープ印刷装置用のカートリッジを収容し、ポケットにカートリッジを装着したり、ポケットからカートリッジを離脱させたりする場合には、その収容構造を考慮し、ポケットの構造（位置決め構造や保持構造）を新たに設計し直さなければならない。
【０００９】
本発明は、以上の点を考慮してなされたものであり、カートリッジの装置内での位置決め構造や保持構造をできるだけ維持したまま、カートリッジの取り出し性を向上させることができるカートリッジ利用装置を提供しようとしたものである。
【課題を解決するための手段】
【００１０】
第１の本発明は、カートリッジが取り付けられるカートリッジ取付部と、このカートリッジ取付部を覆う蓋体とを有するカートリッジ利用装置において、上記カートリッジ取付部に上記カートリッジが取り付けられた状態で、上記蓋体が閉鎖して、上記カートリッジを支持・保持し得る姿勢となり、上記蓋体の開放時に、上記カートリッジを支持・保持して上記カートリッジ取付部から上記カートリッジを取り外すカートリッジ支持・保持機構を、上記蓋体が有することを特徴とする。
【００１１】
第２の本発明は、カートリッジが取り付けられるカートリッジ取付部と、このカートリッジ取付部を覆う蓋体とを有するカートリッジ利用装置において、上記カートリッジ取付部は、上記蓋体の開放時に、上記カートリッジを押圧して上記カートリッジを取り出し方向に所定量だけ移動させる取出し補助機構を有することを特徴とする。
【００１２】
ここで、当該カートリッジ利用装置が印刷装置であることは好ましい態様である。
【発明の効果】
【００１３】
本発明によれば、カートリッジの装置内での位置決め構造や保持構造をできるだけ維持したまま、カートリッジの取り出し性を向上させることができるようになる。
【図面の簡単な説明】
【００１４】
【図１】第１の実施形態のテープ印刷装置の外観例を示す斜視図である。
【図２】テープ印刷装置用のカートリッジの部分破断平面図である。
【図３】第１の実施形態のテープ印刷装置における開閉蓋の、カートリッジをセットした直後の完全開放状態を示す概略斜視図である。
【図４】第１の実施形態のテープ印刷装置における開閉蓋の、完全開放状態から閉鎖状態への途中の状態を示す概略斜視図である。
【図５】第１の実施形態のテープ印刷装置における開閉蓋の閉鎖状態を示す概略斜視図である。
【図６】第１の実施形態のテープ印刷装置における開閉蓋の、閉鎖状態から完全開放状態への途中の状態を示す概略斜視図である。
【図７】第１の実施形態のテープ印刷装置における開閉蓋の、閉鎖状態から移行した完全開放状態を示す概略斜視図である。
【図８】第１の実施形態のテープ印刷装置の開閉蓋に設けられた押圧機構の一例を示す概略断面図である。
【図９】第１の実施形態のテープ印刷装置の開閉蓋に設けられた押圧機構の他の一例を示す概略断面図である。
【図１０】第１の実施形態のテープ印刷装置における開閉蓋案内部材の構成例及びその変化を示す概略断面図である。
【図１１】第１の実施形態のテープ印刷装置におけるヘッドカバーの構成例を示す概略斜視図である。
【図１２】第２の実施形態のテープ印刷装置における開閉蓋の内面構成を示す概略斜視図である。
【図１３】第２の実施形態のテープ印刷装置における開閉蓋の閉鎖状態を示す概略斜視図である。
【図１４】第２の実施形態のテープ印刷装置における開閉蓋を、装置本体から離脱した状態を示す概略斜視図である。
【図１５】第２の実施形態のテープ印刷装置における、装置本体から離脱された開閉蓋の内面を示す概略斜視図である。
【図１６】第３の実施形態のカートリッジ利用装置の特徴構成を説明するための概略図である。
【発明を実施するための最良の形態】
【００１５】
（Ａ）第１の実施形態
以下、本発明によるカートリッジ利用装置をテープ印刷装置に適用した第１の実施形態を、図面を参照しながら説明する。
【００１６】
テープ印刷装置は、無地のテープ（印刷データに基づく印刷がなされていないテープであって、地紋等が形成されたテープを含む）から文字を印刷したラベルを作成するものであり、消耗品となる無地のテープ及びインクリボンはテープカートリッジ（以下、単にカートリッジと呼ぶ）に収容されており、カートリッジを介して装置本体に供給される。
【００１７】
第１の実施形態のテープ印刷装置１は、図２に示すように、上下２分割の装置ケース３によりその装置本体２の外殻が形成され、前部にキー入力部４が設けられ、後部に窓付きの開閉蓋８が設けられている。窓付きの開閉蓋８の右部にディプレイ５が配設され、窓付きの開閉蓋８の左部の下方の装置本体２には、カートリッジ６を装着するためのポケット７が設けられており、窓を介して、カートリッジ６を視認し得るようになされている。開閉蓋８は、後述する上下動するヒンジ部を介して装置本体２に開閉自在に取り付けられている。
【００１８】
カートリッジ６がセットされていない状態から、テープ印刷装置１によりラベルを作成する場合には、先ず、開閉蓋８の手前中央部の近傍に位置する開放ボタン１０を押して開閉蓋８を開放させる。次に、ポケット７に上側からカートリッジ６をセットし、さらにカートリッジ６を押し込んで完全に装着する。カートリッジ６を装着したら、開閉蓋８を閉塞し、テープ印刷装置１を印字待機状態にする。次に、ディプレイ５を見ながらキー入力部４を操作して、所望の入力を行う。ディプレイ５で所望の入力が確認できたら、さらにキー入力部４を操作して印字動作を指令する。
【００１９】
印字動作が指令されると、カートリッジ６のテープＴとインクリボンＲが同時に走行を開始し、熱転写による印字が行われる（図２も参照）。この印字の進行と共に、インクリボンＲはカートリッジ６内で巻き取られるが、印字が行われたテープＴは、装置ケース３の側面に形成したテープ排出スリット１１から送り出されてゆく。印字が完了すると、余白部分用の送りが行われた後、テープＴ及びインクリボンＲの走行が停止する。続いて、装置本体２のオートカット機構が働いて、テープ排出スリット１１の部分に収容したカッタ（図示省略）が作動し、テープＴが切断される。
【００２０】
また、カートリッジ６を取り出す場合には、開放ボタン１０を押して開閉蓋８を開放させる。この開放動作時には、ポケット７に収容されていたカートリッジ６は、開放された開閉蓋８の内面に係止されており、一方の手で開閉蓋８を押さえた状態で、他方の手でカートリッジ６を引っ張ることにより、開閉蓋８からカートリッジ６を取り外すことができる。
【００２１】
なお、カートリッジ６を装置本体２のポケット７に装着した状態では、装置本体２側から、例えば、印字ヘッド、ローラ駆動軸、リール駆動軸等の各種のアクセス部材がカートリッジ６に臨む。
【００２２】
カートリッジ６は、図２に示すように、上ケース２１ａと下ケース２１ｂとからなるケース２１を有し、ケース２１内には、テープＴを巻回したテープリール２２と、インクリボンＲを巻回したリボン巻出しリール２３と、使用後のインクリボンＲを巻き取るリボン巻取りリール２４とが、それぞれ回転自在に収容されている。また、ケース２１内には、後述する印字ヘッドに対峙するプラテンローラ２５が、回転自在に収容されている。このプラテンローラ２５とリボン巻取りリール２４とが同期して回転すると、テープＴ及びインクリボンＲは同時に走行し、プラテンローラ２５の位置で重ね合わされて、印字が行われる。印字後、インクリボンＲはリボン巻取りリール２４に巻き取られ、またテープＴは、上述したテープ排出スリット１１に連なるテープ排出口２６から送り出される。また、カートリッジ６がポケット７に収容されたときに、印字ヘッドを逃がす方形の貫通開口２７が形成されている。
【００２３】
さらに、カートリッジ６の左右の同じ高さの側面位置には、一対の突片２８ａ及び２８ｂが設けられている。なお、従来のテープ印刷装置であれば、ポケット（７）の底面に植立されている一対のフック（係合爪片）の先端がそれぞれ、これら突片２８ａ及び２８ｂに掛かってカートリッジ６に下方への力を付与することにより、カートリッジ６の上下方向の位置を規制するようになされている。
【００２４】
図３〜図５はそれぞれ、第１の実施形態のテープ印刷装置１における開閉蓋８の、完全開放状態から閉鎖状態への変化を示す概略斜視図である。図５〜図７はそれぞれ、第１の実施形態のテープ印刷装置１における開閉蓋８の、閉鎖状態から完全開放状態への変化を示す概略斜視図である。
【００２５】
開閉蓋８の内面には、図３に示すように、一対のフック（係合爪片）３０ａ及び３０ｂと、押圧機構３１と、閉鎖係止部材３２とが設けられている。
【００２６】
閉鎖係止部材３２は、装置本体２の対応位置に設けられている対向閉鎖係止部材（図示せず）と、開閉蓋８が閉鎖状態で係止するものである。閉鎖係止部材３２が係止用の孔であって対向閉鎖係止部材が爪部材であっても良く、また、閉鎖係止部材３２が爪部材であって対向閉鎖係止部材が係止用の孔であっても良く、その係止機構は任意で良い。但し、開放ボタン１０の押下によって、閉鎖係止部材３２と対向閉鎖係止部材との係止状態が解放される機構であることを要する。
【００２７】
一対のフック３０ａ及び３０ｂは、開閉蓋８の内面に垂設されたものであり、例えば、開閉蓋８と一体的に形成されている。一対のフック３０ａ及び３０ｂは、その先端が、開閉蓋８が開放時に上動及び回動するときに、ポケット７に収容されていたカートリッジ６の対応する突片２８ａ及び２８ｂと係止するものである。一対のフック３０ａ及び３０ｂは、その先端が、開閉蓋８が閉鎖のために下動するときに、ポケット７に収容されていたカートリッジ６の対応する突片２８ａ及び２８ｂとの接触により、外方に開き、突片２８ａ及び２８ｂの位置を先端が通過し、通過した後では外方への逃げ力が除外される。なお、開閉蓋８の閉鎖状態では、フック３０ａ及び３０ｂの先端が対応する突片２８ａ及び２８ｂに接触（係止）していても良く、また、フック３０ａ及び３０ｂの先端が対応する突片２８ａ及び２８ｂより下方に位置していても良い。
【００２８】
押圧機構３１は、図８の概略断面図（カートリッジの内部構成は省略している）に示すように、例えば、カートリッジ６の上面と接触する板状部材３３と、板状部材３３を、開閉蓋８の内面から離れる方向に付勢するバネ部材３４とを有する。開閉蓋８が開放時に上動及び回動するときに、板状部材３３によるカートリッジ６の上面への押圧力と、フック３０ａ及び３０ｂの先端が突片２８ａ及び２８ｂに引っ掛かることによる、それに抗した力とによって、カートリッジ６が開閉蓋８の内面側に係止された状態となる。このような係止状態は、フック３０ａ及び３０ｂと、突片２８ａ及び２８ｂとの係止を解除することで終了させることができ、カートリッジ６を取り外すことができる。板状部材３３は、開閉蓋８の閉鎖状態では、カートリッジ６をポケット７の底面７ａに押し付けることにより、カートリッジ６の上下方向の位置を規制するものである。ここで、板状部材３３の外形や位置は任意であるが、例えば、図２に仮想線で示すように、カートリッジ６の上面の中央部付近を、しかも、カートリッジ７の回動部材や印字ヘッド等のアクセス部材の位置に重ならないような外形や位置であることが好ましい。
【００２９】
図８では、バネ部材３４が弦巻状バネ的なものを示したが、上述した付勢力を付与できるものであれば、その形状は任意である。弦巻状バネに代え、例えば、図９に示すような、パンタグラフで利用されているバネ部材を適用することができる。
【００３０】
この第１の実施形態の場合、開閉蓋８を開放したり閉鎖したりする構造は、単に、回動するものではなく、上下動と回動とを行うものである。例えば、図６に示すように、テープ印刷装置１の左右の奥部に開閉蓋案内部材４０（左奥部の図示は省略）が設けられている。図示は省略しているが、開閉蓋８を上方に押し上げる上動バネ部材が設けられており、開閉蓋８の上動はこの上動バネ部材の付勢力によりなされ、開閉蓋８の下動は、上動バネ部材の付勢力を超えた利用者の押圧力によってなされるものである。
【００３１】
開閉蓋案内部材４０は、開閉蓋８の上下動及び回動を案内するものであり、例えば、図１０に示すような構成を適用することができる。図１０において、開閉蓋案内部材４０は、上下方向に延びると共に、上端でほぼ直角に少しだけ曲がっている案内溝４１を有し、この案内溝４１を貫通し案内されるピン部材４２とを有する。なお、このピン部材４２は、左右の開閉蓋案内部材４０の案内溝４１を共に貫通するように延長しているものであっても良い。また、案内溝４１の上下方向の長さは、例えば、カートリッジ６の厚みと同程度に選定されている。案内溝４１から外方にでているピン部材４２の部分には、回動を担当する板部材４３が固着されている。板部材４３における、ピン部材４２の隣接位置には切欠部４３ａが設けられており、この切欠部４３ａの形状は、案内溝４１の曲がり部分の近傍に垂設されている軸部材４４の外形とマッチするようになされている。
【００３２】
上動バネ部材の付勢力により、開閉蓋８が上動しているときには、開閉蓋８に取り付けられているピン部材４２は、図１０（Ａ）に示すように、案内溝４１に案内されながら、固着している板部材４３と一体的に上動する。この上動により、図１０（Ｂ）に示すように、やがて、板部材４３の切欠部４３ａが軸部材４４に接触する。接触以降にも上動バネ部材の付勢力が付与されているので、ピン部材４２が上動しようとするが、板部材４３の切欠部４３ａが軸部材４４と接触しているため、図１０（Ｃ）に示すように、板部材４３は軸部材４４を中心として回動し、これにより、ピン部材４２（従って、開閉蓋８）も回動する。ピン部材４２が案内溝４１の先端に接することにより、ピン部材４２（従って、開閉蓋８）の回動が停止する。
【００３３】
上記では、開閉蓋８を開放させる際の開閉蓋案内部材４０の変化を説明したが、開閉蓋８を閉鎖させる際の開閉蓋案内部材４０の変化は、上述した変化と対称的な変化であり、その詳細説明は省略する。
【００３４】
上述したように、カートリッジ６には、印字ヘッドを逃がす方形の貫通開口２７が形成されている。印字ヘッドは、ポケット７に設けられている図１１に示すようなヘッドカバー５０で覆われている。カートリッジ６をポケット７に装着したときには、ヘッドカバー５０が貫通開口２７を貫通する。この第１の実施形態の場合、ヘッドカバー５０における印字ヘッドが機能しない面には、カートリッジ６の上動（若しくは下動）を容易にすべく、１又は複数のころ５１が設けられている。なお、このようなころをポケット７の内側面に設けるようにしても良い。
【００３５】
この第１の実施形態の場合、カートリッジ６は、開閉蓋８の内面に係止されている状態でポケット７から取り出されるため、ポケットの両側部に、指を挿入するためのカートリッジ取出し溝は設けられていない。
【００３６】
利用者が任意のカートリッジ６をセットする際には、図３に示すように、開閉蓋８が全開放状態で、ポケット７にカートリッジ６を収容させる。そして、開閉蓋８を、図４に示すように、閉鎖方向に回動した後、押し込んで、開閉蓋８の内面の閉鎖係止部材３２と装置本体２の対応位置に設けられている対向閉鎖係止部材（図示せず）とを係止させ、図５に示すような閉鎖状態にする。
【００３７】
開閉蓋８の押し込みにより、一対のフック３０ａ及び３０ｂの先端が下方に移動し、閉鎖状態では、一対のフック３０ａ及び３０ｂの先端は、カートリッジ６の突片２８ａ及び２８ｂの下側に位置する。また、閉鎖状態では、押圧機構３１が、カートリッジ６をポケット７の底面に押し付け、カートリッジ６の上下方向の位置を規制する。これにより、テープの上下方向の印字位置を適切なものとし得る。
【００３８】
図５に示すような開閉蓋８の閉鎖状態において、利用者が開放ボタン１０が押下すると、開閉蓋８の内面の閉鎖係止部材３２と装置本体２の対応位置に設けられている対向閉鎖係止部材（図示せず）との係止が開放され、上動バネ部材（図示せず）の付勢力によって、図６に示すように、開閉蓋８が上動する。この上動時には、押圧機構３１によるカートリッジ６の上面への押圧力と、フック３０ａ及び３０ｂの先端が突片２８ａ及び２８ｂに引っ掛かることによる、それに抗した力とによって、カートリッジ６が開閉蓋８の内面側に係止された状態となる。このような上動時には、ヘッドカバー５０のころ５１が転動し、上動時の抵抗を弱めるように機能する。
【００３９】
上動が進み、開閉蓋８の内面に係止されているカートリッジ６がポケット７から離脱した程度になると、開閉蓋案内部材４０の作用により、開閉蓋８が開放方向に回動して、図７に示すような全開放状態となる。全開放状態になったときにも、カートリッジ６は、開閉蓋８の内面に係止されている。利用者は、フック３０ａ、３０ｂの先端と、カートリッジ６の突片２８ａ、２８ｂとの係止状態を解くことで、カートリッジ６を、開閉蓋８の内面から取り外すことができる。
【００４０】
以上のように、第１の実施形態のテープ印刷装置１によれば、開閉蓋８を開放させた際に、カートリッジ６がポケット７内に位置するのではなく、開閉蓋８の内面に係止されているので、利用者は容易にカートリッジ６を取り出すことができ、カートリッジの取り出し性を向上させることができる。
【００４１】
一方、カートリッジ６の装着は、直接、ポケット７に行えば良く、開閉蓋８の内面にカートリッジ６を取り付けるような細かい作業は不要である。
【００４２】
取り出し性を向上させるにつき、カートリッジ６の構造の変更は不要である。カートリッジ６は、規格化若しくは標準化されており、変更が不要であることは、既に流通している多くのカートリッジ６を対象とすることができる。
【００４３】
また、ポケット７の周囲構成の変更もほとんど不要であり、主に、開閉蓋８の変更で対応でき、設計、開発を見直す箇所を少なく押さえることができる。カートリッジ６は、規格化若しくは標準化されているため、そのアクセス構成も概ね標準化されている。そのような標準化されている部分の変更は不要であるので、カートリッジ６の係止構成などを後付けして、上記実施形態の構成とすることもできる。また、ポケット７の周囲構成の変更がほとんど不要であるため、テープ印刷装置１を大型化することもない。
【００４４】
カートリッジ６を開閉蓋８の内面に係止するため、カートリッジ６の突片２８ａ、２８ｂを、先端を引っ掛けて下方に引っ張るフックが省略されたが、押圧機構３１によって、パケット７内のカートリッジ６の上下方向の位置を規制するようにしたので、テープの印字行の幅方向の位置が不適切になることを防止することができる。因みに、ポケット７の形状は、従来と同様に、カートリッジ６の外形形状とマッチしており、上下方向の位置を規制することにより、印字ヘッドとの相対位置を所望する位置とでき、十分な印刷精度を達成することができる。
【００４５】
（Ｂ）第２の実施形態
次に、本発明によるカートリッジ利用装置をテープ印刷装置に適用した第２の実施形態を、図面を参照しながら説明する。
【００４６】
第１の実施形態のテープ印刷装置１における開閉蓋８は、装置本体２から離脱することができないものであったが、第２の実施形態のテープ印刷装置における開閉蓋は、装置本体から離脱できるものである。
【００４７】
図１２は、第２の実施形態のテープ印刷装置１Ａにおける開閉蓋８Ａの内面構成を示す概略斜視図である。
【００４８】
第２の実施形態の開閉蓋８Ａの内面にも、第１の実施形態と同様に、カートリッジ６の突片２８ａ、２８ｂを引っ掛けて、開閉蓋８Ａの内面にカートリッジ６を係止させるためのフック３０ａ及び３０ｂが設けられており、また、カートリッジ６を、それを収容するポケットの底面の方向に押圧する押圧機構３１が設けられている。さらに、位置決め及び案内機能を発揮する位置決めピン６０ａ、６０ｂが設けられている。
【００４９】
また、開閉蓋８Ａを、第２の実施形態のテープ印刷装置１Ａの装置本体２Ａ（図１３参照）に係止させるために開閉用フック６１ａ、６１ｂが、開閉蓋８Ａに設けられている。
【００５０】
ポケットにカートリッジ６をセットした後、開閉蓋８Ａを把持して、装置本体２Ａに向かって移動させると、位置決めピン６０ａ、６０ｂの案内により、開閉蓋８Ａが装置本体２Ａに近付くに従い、開閉蓋８Ａと装置本体２Ａとの相対位置が適切になって、開閉蓋８Ａが装置本体２Ａの上部開口を覆う。さらに、下方に力を加えると、開閉用フック６１ａ、６１ｂが、装置本体２Ａにおけるフックの受け部材と係合する。例えば、係合すると「パチン」と音を発し、これにより、利用者は閉鎖操作を終了する。
【００５１】
開閉蓋８Ａの押し込みにより、一対のフック３０ａ及び３０ｂの先端が下方に移動し、閉鎖状態では、一対のフック３０ａ及び３０ｂの先端は、カートリッジ６の突片２８ａ及び２８ｂの下側に位置する。また、閉鎖状態では、押圧機構３１が、カートリッジ６をポケットの底面に押し付け、カートリッジ６の上下方向の位置を規制する。このようなことは、第１の実施形態と同様である。
【００５２】
図１３に示すような開閉蓋８Ａの閉鎖状態において、利用者が開閉蓋８Ａを開ける際には、まず、開閉用フック６１ａ、６１ｂと、装置本体２Ａにおけるフックの受け部材との係合を解除する。例えば、装置本体２Ａの内方に向けて、開閉用フック６１ａ、６１ｂを押圧することにより、開閉用フック６１ａ、６１ｂと、フック受け部材との係合を解除する。
【００５３】
その後、利用者は、開閉蓋８Ａを、図１４に示すように上方に持ち上げる。この上動時には、押圧機構３１によるカートリッジ６の上面への押圧力と、フック３０ａ及び３０ｂの先端がカートリッジ６の突片２８ａ及び２８ｂに引っ掛かることによる、それに抗した力とによって、カートリッジ６が開閉蓋８Ａの内面に係止された状態となる。図１５は、カートリッジ６が内面に係止された状態の開閉蓋８Ａを裏返した場合を示している。利用者は、フック３０ａ、３０ｂの先端と、カートリッジ６の突片２８ａ、２８ｂとの係止状態を解くことで、カートリッジ６を、開閉蓋８Ａの内面から取り外すことができる。
【００５４】
開閉蓋が装置本体から離脱可能なものか否かの相違はあるが、カートリッジ６の取り出し面について、第２の実施形態は、第１の実施形態と同様な効果を奏することができる。
【００５５】
（Ｃ）第３の実施形態
次に、本発明によるカートリッジ利用装置の第３の実施形態を、図面を参照しながら説明する。
【００５６】
図１６は、第３の実施形態のカートリッジ利用装置８０における特徴構成を説明するための概略図である。カートリッジ７０を収容したポケットの底面は、上下動可能な底板７１で形成されており、この底板７１が下動したときに弾発力が蓄積されるバネ部材７２が、底板７１に関連して設けられている。また、底板７１を、上下方向の所定位置で係止する係止部材７３が設けられている。この係止部材７３は回動し得るものであり、回動中心近傍にバネ要素を有し、外力で回動しても所定の姿勢に復帰するようになされている。係止部材７３は、外力を受ける片部分７３ａを有する。開閉蓋７４には、この開閉蓋７４の回動に連動して、回動や直動などの運動を行うリンク部材などでなる運動伝達部材７５が取り付けられており、運動伝達部材７５の突起や先端などは、開閉蓋７４の開放時に、係止部材７３の片部分７３ａに外力を付与し、底板７１と係止部材７３との係止状態を解放させる。
【００５７】
底板７１と係止部材７３との係止状態が解放されると、バネ部材７２の蓄積された弾発力により、底板７１、従って、カートリッジ７０が押し上げられる。バネ部材７２による上方への力と、底板７１及びカートリッジ７０の重量などによる下方への力とのバランスが取れる位置まで、若しくは、上動の上限を規制するストッパの位置まで、カートリッジ７０は押し上げられる。
【００５８】
利用者は、以上のようにして、ポケットからかなりの部分が出たカートリッジ７０を容易に取り出すことができる。
【００５９】
以上では、バネ部材７２が底板７１に作用するものを示したが、バネ部材７２がカートリッジ７０（の下面）に直接作用するようにしても良い。
【００６０】
第３の実施形態によれば、開閉蓋７４を開放させた際に、カートリッジ７０のかなりの部分がポケットから出るようにしたので、利用者は容易にカートリッジ７０を取り出すことができ、カートリッジの取り出し性を向上させることができる。
【００６１】
取り出し性を向上させるにつき、カートリッジ６の構造の変更は不要である。
【００６２】
また、ポケットの周辺構成の変更もほとんど不要であり、主に、ポケットの下方の構成だけの変更で対応することができ、装置の厚さ方向を除けば、装置を大型化することもない。
【００６３】
（Ｄ）他の実施形態
上記各実施形態の説明においても、種々変形実施形態を示したが、さらに以下に例示するような変形実施形態を挙げることができる。
【００６４】
上記第３の実施形態では、ポケット内でカートリッジを単に押し上げるものを示したが、開閉蓋の内面にカートリッジを係止する第１の実施形態や第２の実施形態の技術思想に対し、第３の実施形態で説明した技術思想を適用することができる。すなわち、開閉蓋が開放された際に、開閉蓋の内面に係止されたカートリッジをバネ部材の付勢力によって押し上げ、ポケットからの離脱を容易にするようにしても良い。
【００６５】
上記第１及び第２の実施形態では、カートリッジ６に既にある突片２８ａ及び２８ｂを利用して開閉蓋の内面にカートリッジを軽く係止するものを示したが、係止方法はこれに限定されるものではない。
【００６６】
例えば、突片の数を３以上に増やし、係止を安定化されるようにしても良い。また例えば、突片に代えて、小孔を利用するようにしても良い。カートリッジは側面に小孔を有し、突片２８ａ及び２８ｂと係止していたフック３０ａ及び３０ｂが、その小孔を貫通することで、開閉蓋の内面にカートリッジを係止するものであっても良い。
【００６７】
また例えば、押圧機構３１の板状部材３３の表面の全面又は一部に、半永久的な弱粘着層や磁力層を設け、粘着や磁力によって開閉蓋の内面にカートリッジを係止するものであっても良い。なお、磁力を利用する場合、カートリッジにも磁力層を設けることを要する。
【００６８】
上記第１の実施形態では、開閉蓋８がポケット７だけでなく、装置本体２の後部を覆うものを示したが、後部の左方若しくは右方に位置するポケットだけを覆う開閉蓋を有するテープ印刷装置に対しても、本発明を適用することができる。
【００６９】
上記第１及び第２の実施形態では、テープ印刷装置に、本発明のカートリッジ利用装置を適用したものを示したが、本発明の用途はこれに限定されず、カートリッジ（カセットを含む）を利用する装置に広く適用することができる。例えば、インクカートリッジを利用するプリンタに本発明を適用することができる。
【符号の説明】
【００７０】
１、１Ａ…テープ印刷装置、６、７０…カートリッジ、７…ポケット、８、８Ａ…開閉蓋、２８ａ、２８ｂ…カートリッジの突片、３０ａ、３０ｂ…開閉蓋内面のフック（係合爪片）、３１…押圧機構、４０…開閉蓋案内部材、５１…ころ、７１…ポケットの底板、７２…バネ部材、７３…係止部材、７４…開閉蓋、７５…運動伝達部材。
【図１】
2010280102.tif 000003
【図２】
2010280102.tif 000004
【図３】
2010280102.tif 000005
【図４】
2010280102.tif 000006
【図５】
2010280102.tif 000007
【図６】
2010280102.tif 000008
【図７】
2010280102.tif 000009
【図８】
2010280102.tif 000010
【図９】
2010280102.tif 000011
【図１０】
2010280102.tif 000012
【図１１】
2010280102.tif 000013
【図１２】
2010280102.tif 000014
【図１３】
2010280102.tif 000015
【図１４】
2010280102.tif 000016
【図１５】
2010280102.tif 000017
【図１６】
2010280102.tif 000018